(57)【要約】【課題】通信機器本体と外部ケーブルとの固着が確実であり、且つ、その固着作業が簡便であること。【解決手段】通信端末本体５に形成される装着穴１３と、通信端末本体５に形成され装着穴１３に接続し外部ケーブル６の第１部分６−１を通す溝７と、装着穴１３に嵌め込まれ装着穴１３の中で変位し、外部ケーブルの第２部分６’を装着穴１３の内面２３に押し付けて挟み込む変位体１４とから形成されている。変位体１４は、装着穴１３の中で第１位置で外部ケーブル６の第２部分６’を内面２３に押し付け、装着穴１３の中で第２位置で第２部分６’を内面２３から解放する。このような外部ケーブル６の半円形状の曲折は滑らかに形成され、軸力を受ける外部ケーブル６は、その軸力が大きくなれば更に強くなる楔効果力を受けて、変位体１４と内面２３との間でより強力に締め付けられる。簡便に装着作業が完了し、不慮の事故の発生を未然に回避することができる。【選択図】          図７
2004253237.tif 000002
【特許請求の範囲】
【請求項１】
通信端末本体と、
外部ケーブルを前記通信端末本体に装着する装着構造とを構成し、
前記装着構造は、
前記通信端末本体に形成される装着穴と、
前記通信端末本体に形成され前記装着穴に接続し前記外部ケーブルの第１部分を通す溝と、
前記装着穴に嵌め込まれ前記装着穴の中で変位し、前記外部ケーブルの第２部分を前記装着穴の内面に押し付けて挟み込む変位体とを形成し、
前記変移体は、前記装着穴の中で第１位置で前記外部ケーブルの第２部分を前記内面に押しつけて前記第２部分を前記内面に対して拘束し、前記装着穴の中で第２位置で前記第２部分を前記内面から解放し、
前記変移体と前記内面とで挟み込まれる前記第２部分は、
前記溝の中の前記第１部分に連続し前記第１部分が向く第１方向に交叉する第２方向に向く第１第２部分と、
前記第１第２部分に連続し前記第２方向に交叉する第３方向に向く第２第２部分と、前記第２第２部分に連続し前記第３方向に交叉する第４方向に向く第３第２部分とを形成し、
前記第２方向と前記第４方向は互いに概ね反対方向に向いている
通信端末のケーブル接続構造。
【請求項２】
前記内面は概ね半円筒面であり、前記第２部分は概ね半円線状に形状化される
請求項１の通信端末のケーブル接続構造。
【請求項３】
前記溝は前記通信端末本体の外表面で開放されている
請求項１の通信端末のケーブル接続構造。
【請求項４】
前記通信端末本体に固着されるコネクタを更に構成し、
前記外部ケーブルの先頭部位は前記コネクタに固着されている
請求項１〜３から選択される１請求項の通信端末のケーブル接続構造。
【請求項５】
前記装着穴は、
第１穴と、
前記第１穴に連続する第２穴とを形成し、前記内面は前記第２穴の内面として形成され、
前記変位体は、前記第１穴と前記第２穴とが並ぶ並び方向に往復運動し、
前記変位体は、
前記第１穴に案内されて運動する第１変位体部分と、
前記第１変位体部分に同体化され前記第２穴に入り込む第２変位体部分とを形成し、
前記第２変位体部分の前記並び方向に前方に位置する前方面は前記内面に概ね同形的に形成され、前記第２部分は前記前方面と前記内面との間で挟まれる
請求項１の通信端末のケーブル接続構造。
【請求項６】
前記第１穴は前記外表面で開放され、前記第２穴は前記通信端末本体の一部で前記外表面の法線方向に閉じられている
請求項５の通信端末のケーブル接続構造。
【請求項７】
前記第１変位体部分は前記外表面から外側に突出している
請求項５の通信端末のケーブル接続構造。
【請求項８】
前記第１変位体部分と前記第１穴とが対向する２つの対向面には、凸面と凹面とが振り分けられて形成され、前記第１位置は前記凸面と前記凹面との凹凸嵌合により定められる
請求項５の通信端末のケーブル接続構造。
【請求項９】
前記第１変位体部分には切り溝が形成され、前記切り溝は、前記凹凸嵌合の際に前記第１変位体部分を弾性変形させる
請求項８の通信端末のケーブル接続構造。
【請求項１０】
前記第２変位体部分には穴が開けられている
請求項５〜９から選択される１請求項の通信端末のケーブル接続構造。
【請求項１１】
前記変位体には穴が開けられ前記穴は前記第１変位体部分の後端面で開放されている
請求項５〜９から選択される１請求項の通信端末のケーブル接続構造。
【請求項１２】
前記変位体は板ばねで形成され、前記板ばねの両端部位は前記装着穴の内面に対して係合し、前記第１位置と前記第２位置との間で反転的に変形する
請求項１の通信端末のケーブル接続構造。
【発明の詳細な説明】
【０００１】
【発明の属する技術分野】
本発明は、通信端末のケーブル接続構造に関し、特に、ワンタッチ式に着脱することができる通信端末のケーブル接続構造に関する。
【０００２】
【従来の技術】
通信機器には、外部ケーブルが接続される。インタネットの膨張に起因する設置機器の増大は、設置環境の制限を招いている。外部ケーブルに過剰負荷が加われば、不慮の事故を招く恐れがある。軸力の発生に対して通電接触子の機能の安定性を保持する技術は、後掲特許文献１で知られている。ケーブルを案内する溝を本体に配置する技術は、後掲特許文献２で知られている。
【０００３】
通信機器本体と外部ケーブルとの固着が確実であり、且つ、その固着作業が簡便であることが求められる。
【０００４】
【特許文献１】
特開２０００−１１５９８０号
【特許文献２】
特開２０００−３２６３２号
【０００５】
【発明が解決しようとする課題】
本発明の課題は、通信機器本体と外部ケーブルとの固着が確実であり、且つ、その固着作業が簡便である通信端末のケーブル接続構造を提供することにある。
【０００６】
【課題を解決するための手段】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００７】
本発明による通信端末のケーブル接続構造は、通信端末本体（５）と、外部ケーブル（６）を通信端末本体（５）に装着する装着構造とから構成されている。その装着構造は、通信端末本体（５）に形成される装着穴（１３）と、通信端末本体（５）に形成され装着穴（１３）に接続し外部ケーブル（６）の第１部分（６−１）を通す溝（７）と、装着穴（１３）に嵌め込まれ装着穴（１３）の中で変位し、外部ケーブルの第２部分（６’）を装着穴（１３）の内面（２３）に押し付けて挟み込む変位体（１４，３７）とから形成されている。変位体（１４）は、装着穴（１３）の中で第１位置（ＩＩ）で外部ケーブル（６）の第２部分（６’）を内面（２３）に押し付けて第２部分（６’）を内面（２３）に対して拘束し、装着穴（１３）の中で第２位置（Ｉ）で第２部分（６’）を内面（２３）から解放する。変位体（１４）と内面（２３）とで挟み込まれる第２部分（６’）は、溝（７）の中の第１部分（６−１）に連続し第１部分（６−１）が向く第１方向に交叉する第２方向に向く第１第２部分（６−２）と、第１第２部分（６−２）に連続し第２方向に交叉する第３方向に向く第２第２部分（６−３）と、第２第２部分（６−３）に連続し第３方向に交叉する第４方向に向く第３第２部分（６−４）とから形成されている。第２方向と第４方向は互いに概ね反対方向に向いている。
【０００８】
このような外部ケーブル（６）の半円形状の曲折は滑らかに形成され、軸力を受ける外部ケーブル（６）は、その軸力が大きくなれば更に強くなる楔効果力を受けて、変位体（１４）と内面（２３）との間でより強力に締め付けられる。外部ケーブル（６）を溝（７）に通して変位体（１４）を変位させる動作により簡便に装着作業が完了する。その作業はワンタッチ式で終了し、多様な機器が配置され作業空間が狭く制限される設置環境で不慮の事故を招く作業の不完全性を解消することができる。
【０００９】
内面（２３）は概ね半円筒面（２３）に形成されることが好ましい。外部ケーブル（６）は滑らかな連続面で均等分散的な締め付け力を受ける。この場合には、第２部分（６’）は概ね半円線状に形状化され無理な軸力を受けない。溝（７）は通信端末本体（５）の外表面（９）で開放されていて、外部ケーブル（６）の本体に対する装着が容易である。通信端末本体（５）に固着されるコネクタ（１５）の追加は重要である。外部ケーブル（６）の先頭部位はコネクタに固着される。既述の楔効果力で一部分（６’）が締め付けられ、コネクタ（１５）に過大な軸力が作用しない。
【００１０】
装着穴（１３）は、第１穴（１７）と、第１穴（１７）に連続する第２穴（１８）とを形成し、内面（２３）は第２穴の内面として形成され得る。変位体（１４）は、好適な実施の形態では、第１穴（１７）と第２穴（１８）とが並ぶ並び方向（Ｄｉ）に往復運動する。そのような変位体（１４）は、第１穴（１７）に案内されて運動する第１変位体部分（２５）と、第１変位体部分（２５）に同体化され第２穴（１８）に入り込む第２変位体部分（２６）とから形成されている。第２変位体部分（２６）の並び方向（Ｄｉ）に前方に位置する前方面は既述の内面（２３）に概ね同形的に（対向的に）形成され、第２部分（６’）はその前方面と内面（２３）との間で挟まれる。
【００１１】
第１穴（１７）は外表面（９）で開放され、第２穴（１８）は通信端末本体（５）の一部で外表面（９）の法線方向に閉じられている。変位体（１４）は第１穴（１７）に容易に挿入され得る。第１変位体部分（２５）は外表面（９）から外側に突出していて、指掛かり部位が指に容易に接触する。
【００１２】
第１変位体部分（２５）と第１穴（１７）とが対向する２つの対向面には、凸面（３２）と凹面（３３）とが振り分けられて形成され、第１位置は凸面（３２）と凹面（３３）との凹凸嵌合により定められる。このような位置決めは機械的に自動的であり、ワンタッチ操作性を保証する。
【００１３】
第１変位体部分（２５）には切り溝（３４）が形成され、切り溝（３４）は、その凹凸嵌合の際に第１変位体部分（２５）を弾性変形させる。弾性変形は、ワンタッチ操作性を更に強化する。第２変位体部分（２６）には穴（２８）が開けられ、第２変位体部分（２６）の軽量化と弾性化が強化される。変位体（１４）には穴が開けられその穴は第１変位体部分（２５）の後端面で開放されていて、その弾性的性質が更に強化される。
【００１４】
変位体（１４）は、他の好適な実施の形態では、板ばね（３７）で形成され、板ばね（３７）の両端部位は装着穴（１３）の内面に対して係合し、既述の第１位置と第２位置との間で反転的に変形する。実施のこの形態では、そのばね力が楔効果力発生の初期条件を与え、その反転変形は操作を簡素化する。
【００１５】
【発明の実施の形態】
図に対応して、本発明による通信端末のケーブル接続構造は、適用対象の通信端末に、外部ケーブルをワンタッチで装着するワンタッチ装着構造が設けられている。その通信端末１は、図１に示されるように、通信器本体２と通話送話器３とから構成されている。通信器本体２は、第１筐体４と第２筐体５とから形成されている。通話送話器３は、第１筐体４の側に配置される。第１筐体４と第２筐体５は、互いに対向して接合している。外部ケーブル６は、第２筐体５の側から通信器本体２の中に引き込まれる。外部ケーブル６を通信器本体２の中に引き込んで外部ケーブル６を通信器本体２に導入するための導入溝７は、第２筐体５の底面側を表す図２に示されるように、第２筐体５の側面８と第２筐体５の底面９とが交叉する交叉部位に導入口１１を有している。導入口１１は、第２筐体５の側面と第２筐体５の底面とで開放されている。導入口１１の近傍で導入溝７には、狭窄口１２が底面９の側に形成されている。
【００１６】
ワンタッチ装着構造は、図３に示されるように、凹側嵌合部分１３と、凸側嵌合部分１４と、コネクタ１５とから形成されている。凸側嵌合部分１４は、通信器本体２の第２筐体５に嵌めこまれて装着されれば、第２筐体５の一部分を構成する。コネクタ１５は、第２筐体５に嵌め込まれて装着されれば、第２筐体５の一部分を構成する。
【００１７】
凹側嵌合部分１３は、図４に示されるように、第２筐体５に形成される嵌合穴（ケーブル装着穴）１６を有している。嵌合穴１６は、図５に示されるように、自由穴１７と不自由穴１８とから形成されている。凸側嵌合部分１４は、自由穴１７から挿入され不自由穴１８で固着的に装着される。凸側嵌合部分１４は、装着時の動作方向Ｄｉに嵌合穴１６の両側内面１９に摺動的に案内されて自由穴１７から不自由穴１８に向かって変位（運動）する。自由穴１７の大部分は、第２筐体５の底面９で開放されている。不自由穴１８は、図４に示されるように、第２筐体５の外側寄り部分２１と第２筐体５の内側寄り部分２２とで底面９の法線方向には閉じられている。自由穴１７は、不自由穴１８に動作方向Ｄｉに連続している。不自由穴１８の動作方向前端は、半円筒面２３に形成されている。自由穴１７の一部分は、図６に示されるように、動作方向Ｄｉと法線方向とに直交する両側方向の両側部位で、第２筐体５の外側寄り部分２３と第２筐体５の内側寄り部分２４とで底面９の法線方向には閉じられている。導入溝７は、両側方向に自由穴１７に接続している。
【００１８】
凸側嵌合部分１４は、図４に示されるように、動作方向Ｄｉに後方に配分される後方部分２５と動作方向Ｄｉに前方に配分される前方部分２６とから形成されている。前方部分２６は、後方部分２５に樹脂成形により一体に形成されている。後方部分２５は、法線方向に自由穴１７の穴深さの長さより広い法線方向幅Ａを有している。前方部分２６は、不自由穴１８の法線方向幅Ｂより狭い法線方向幅Ｃを有している。外部ケーブル６の直径は、Ｄで表される。不自由穴１８の動作方向幅Ｅは、（前方部分２６の動作方向最大幅Ｆ＋Ｄ）より短い。後方部分２５には、図６に示されるように、両側縁２７が一体に形成されている。両側縁２７の両側面の間の幅Ｇは、両側内面１９の両側方向幅Ｈより僅かに狭い。前方部分２６の両側方向最大幅Ｉは、図５に示されるように、（不自由穴１８の両側方向幅Ｊ−Ｄ）に概ね等しい。両側縁２７の法線方向幅Ｋは、半円筒面２３の内面と内側寄り部分２４の内面の間の幅Ｌより僅かに狭い。
【００１９】
図７は、凸側嵌合部分１４の詳細とコネクタ１５の詳細を示している。凸側嵌合部分１４の前方部分２６は、法線方向に貫通する穴２８が開けられている。前方部分２６の動作方向前方部分は、半リング２９に形成されている。穴２８は、凸側嵌合部分１４を軽量化し、且つ、半リング２９を動作方向Ｄｉに弾性化する。
【００２０】
第２筐体５には、法線方向に延びるコネクタ装着穴３１が開けられている。コネクタ１５は、コネクタ装着穴３１に法線方向に突きさされて嵌め込まれ、図示されない凹凸嵌合構造により、第２筐体５に固定的に装着される。外部ケーブル６の自由端部は、コネクタ１５に機械的に且つ電気的に固着される。
【００２１】
後方部分２５の両側面側に、図７に示されるように、固定用凸部３２が一体に形成されている。自由穴１７の両側内面１９の側に、固定用凹部３３が形成されている。固定用凸部３２より内側寄りに弾性作用形成切溝３４を後方部分２５に形成することは好ましい。その弾性作用は、固定用凸部３２が固定用凹部３３に嵌まり込む際の動作を円滑にする。
【００２２】
外部ケーブル６の端部が現場で機械的に且つ電気的に処理され、処理ずみ端部はコネクタ１５に固着される。そのようなコネクタ１５は、図７に示されるように、コネクタ装着穴３１に差し込み式に差し込まれて第２筐体５に固着される。その端部に近く運動が自由である外部ケーブル６の部分は、図７に示されるように、導入溝７に軽く押し込められる。このように押し込められた外部ケーブル６は、凸側嵌合部分１４の前方部分２６と不自由穴１８との間に挟まれる位置に位置している。現場作業員は、その片手の指で底面９から法線方向に出ている第１位置Ｉの後方部分２５の上面（作業時には第２筐体５の下面は上に向いている。）を押して凸側嵌合部分１４を動作方向Ｄｉに押す。凸側嵌合部分１４の半リング２９は、動作方向Ｄｉに不自由穴１８に潜り込む。外部ケーブル６の一部分は、図７に第２位置ＩＩで表される半リング２９と不自由穴１８の半円筒面２３との間に挟み込まれる。このような挟み込みの位置は、固定用凸部３２が前進して固定用凹部３３に凹凸嵌合する凹凸嵌合位置ＩＩとして規定され、凸側嵌合部分１４は、その位置で適正締付け力で第２筐体５に固定的に固着する。そのような固着状態で半円形状に締め付けられる外部ケーブル６の半円形部分６’は、抜けだし方向Ｄｊにより強く引かれれば楔効果により更に強い締め付け力を受け、且つ、半円形部分６’に傷みは生じない。Ｕ字状又はＳ字状の溝に電線ケーブルを差し込んでその電線ケーブルの装着を安定化する技術は知られているが、本発明による通信端末のケーブル接続構造では、凸側嵌合部分１４は変位可能であり、凸側嵌合部分１４を変位させることにより、外部ケーブル６を第２筐体５から離脱することが容易であり、ワンタッチ装着とワンタッチ離脱がともに容易である。
【００２３】
楔効果力で締め付けられる外部ケーブル６の部分（第２部分）６’は、図７に示されるように、溝７の中の第１部分６−１に連続し第１部分６−１が向く第１方向に交叉する第２方向に向く第１第２部分６−２と、第１第２部分６−２に連続し第２方向に交叉する第３方向に向く第２第２部分６−３と、第２第２部分６−３に連続し第３方向に交叉する第４方向に向く第３第２部分６−４とから形成されている。第２方向と第４方向は互いに概ね反対方向に向いていて、第１第２部分６−２と第３第２部分６−４とは逆方向に延び、第２部分６’は概ね半円形状に又はＵ字形状に滑らかに連続的に折り返し的に曲折している。
【００２４】
図８は、凸側嵌合部分１４の変形例を示している。後方部分２５が自由穴１７から突き出て露出している指接触面３５の一部分として数条の指掛かり凹面３６又は指掛かり凸面が形成されている。その面が凹面であることは、第２筐体５が平面上に載置されることが多く、第２筐体５が平面上載置されて安定することができる点で好ましい。
【００２５】
図９は、本発明による通信端末のケーブル接続構造の実施の他の形態を示している。第２筐体５に断面が円形状又は楕円形状のケーブル装着穴１６が底面９の側に開けられている。外部ケーブル６の半円形部分６’は、既述の凸側嵌合部分１４に相当する反転自在板ばね３７により押さえ込まれている。嵌合穴１６の一部は、反転自在板ばね３７の両端の爪部分３８の反転運動を許容する爪穴３９に形成されている。半円形部分６’を押さえている反転自在板ばね３７の頂天部位４１を反転方向（動作方向Ｄｉに逆である方向）に押すことにより、反転自在板ばね３７は容易に点線で示される反転位置に反転する。このような反転の後に、半円形部分６’は嵌合穴１６から容易に離脱する。実施の本形態は、ワンタッチ装着とワンタッチ離脱がともに容易である点で、実施の既述の形態に同じである。
【００２６】
図１０は、凸側嵌合部分１４の他の変形例を示している。実施の本形態の後方部分２５は、一方側後方部分２５−１と他方側後方部分２５−２とに両側方向に分断されている。前方部分２６は、一方側前方部分２６−１と他方側前方部分２６−２とに両側方向に分断されている。一方側後方部分２５−１は、一方側前方部分２６−１に一体に動作方向Ｄｉに連続している。他方側後方部分２５−２は、他方側前方部分２６−２に一体に動作方向Ｄｉに連続している。全体にＵ字状に形成され、一方側後方部分２５−１と他方側後方部分２５−２とを指で両側方向Ｄｋに摘むことにより、凸側嵌合部分１４を嵌合穴１６に対して脱着することが容易である。
【００２７】
【発明の効果】
本発明による通信端末のケーブル接続構造は、装着作業が簡便でありその固着が確実である。
【図面の簡単な説明】
【図１】図１は、本発明による通信端末のケーブル接続構造の実施の一部の形態を示す斜軸投影図である。
【図２】図２は、図１の一部の詳細を示す斜軸投影図である。
【図３】図３は、本発明による通信端末のケーブル接続構造の実施の全体の形態を示す斜軸投影図である。
【図４】図４は、図３のＩＶ−ＩＶ線断面図である。
【図５】図５は、図４のＶ−Ｖ線断面図である。
【図６】図６は、図３のＶＩ−ＶＩ線断面図である。
【図７】図７は、動作状態を示す図４のＶ−Ｖ線断面図図である。
【図８】図８は、他の凸側嵌合部分を示す斜軸投影図である。
【図９】図９は、本発明による通信端末のケーブル接続構造の実施の他の形態を示す平面断面図である。
【図１０】図１０は、更に他の凸側嵌合部分を示す斜軸投影図である。
【符号の説明】
５…通信端末本体
６…外部ケーブル
６’…第２部分
６−１…第１部分
６−２…第１第２部分
６−３…第２第２部分
６−４…第３第２部分
７…溝
９…外表面
１３…装着穴
１４…変位体
１５…コネクタ
１７…第１穴
１８…第２穴
２３…内面
２５…第１変位体部分
２６…第２変位体部分
２８…穴
３２…凸面
３３…凹面
３４…切り溝
３７…板ばね
Ｉ…第２位置
ＩＩ…第１位置
Ｄｉ…並び方向
【図１】
2004253237.tif 000003
【図２】
2004253237.tif 000004
【図３】
2004253237.tif 000005
【図４】
2004253237.tif 000006
【図５】
2004253237.tif 000007
【図６】
2004253237.tif 000008
【図７】
2004253237.tif 000009
【図８】
2004253237.tif 000010
【図９】
2004253237.tif 000011
【図１０】
2004253237.tif 000012